(57)【要約】【課題】  ＵＨＦテレビジョン放送とＶＨＦテレビジョン放送とを簡単な構成で受信できるようにする。【解決手段】  ＵＨＦテレビジョン信号を中間周波信号に周波数変換する少なくと２系統のＵＨＦ受信部２１、２３と、ＶＨＦテレビジョン信号を中間周波信号に周波数変換する少なくとも２系統のＶＨＦ受信部２６、２８と、複数の中間周波信号を位相合成すると共にＯＦＤＭ復調するダイバーシティ合成手段３５とを備え、少なくとも２系統のＵＨＦ受信部２１、２３から出力される各中間周波信号又は少なくとも２系統のＶＨＦ受信部２６、２８から出力される各中間周波信号を切り替えてダイバーシティ合成加算手段３５に入力した。【選択図】        図１
2005244584.tif 000002
【特許請求の範囲】
【請求項１】
ＵＨＦテレビジョン信号を中間周波信号に周波数変換する少なくと２系統のＵＨＦ受信部と、ＶＨＦテレビジョン信号を中間周波信号に周波数変換する少なくとも２系統のＶＨＦ受信部と、複数の中間周波信号を位相合成すると共にＯＦＤＭ復調するダイバーシティ合成手段とを備え、前記少なくとも２系統のＵＨＦ受信部から出力される各中間周波信号又は前記少なくとも２系統のＶＨＦ受信部から出力される各中間周波信号を切り替えて前記ダイバーシティ合成加算手段に入力したことを特徴とするダイバーシティ受信機。
【請求項２】
前記各ＵＨＦ受信部にはそれぞれ周波数変換用のＵＨＦミキサを設けると共に、前記各ＶＨＦ受信部にはそれぞれ周波数変換用のＶＨＦミキサを設け、前記各ＵＨＦミキサに共通のＵＨＦ発振器から局部発振信号を供給し、前記各ＶＨＦＦミキサに共通のＶＨＦ発振器から局部発振信号を供給したことを特徴とする請求項１に記載のダイバーシティ受信機。
【請求項３】
前記ＵＨＦ発振器と前記ＶＨＦ発振器とを共通のＰＬＬ回路によって制御したことを特徴とする請求項２に記載のダイバーシティ受信機。
【請求項４】
少なくとも前記各ＵＨＦミキサと前記各ＶＨＦミキサと前記ＵＨＦ発振器と前記ＶＨＦ発振器と前記ＰＬＬ回路とを同一の集積回路内に構成したことを特徴とする請求項３に記載のダイバーシティ受信機。
【発明の詳細な説明】
【技術分野】
【０００１】
この発明は、ＵＨＦ及びＶＨＦの地上デジタル放送の受信に好適なダイバーシチ受信機に関する。
【背景技術】
【０００２】
図２は従来のダイバーシティ受信機の構成を示す。一方の受信系はアンテナ１、ＲＦバンドパスフィルタ２、ローノイズアンプ３、第１混合器４、第１ＩＦ（中間周波）バンドパスフィルタ５を有し、他方の受信系統もアンテナ６、ＲＦバンドパスフィルタ７、ローノイズアンプ８、第１混合器９、第１ＩＦバンドパスフィルタ１０を有する。二つの第１混合器４、９にはそれぞれ局部発振器１１ａから局部発振信号が供給される。局部発振器１１ａはＰＬＬ回路１１ｄによって制御される。
【０００３】
そして、各アンテナ１、６で受信されたＯＦＤＭ変調信号が第１中間周波信号に変換され、各第１ＩＦバンドパスフィルタ５、１０を介して加算器１２に入力され、ここで合成される。合成に際しては、中間周波信号が同相となるように移相器１１ｂ、１１ｃによって局部発振信号の位相が制御される。
【０００４】
合成された第１中間周波信号は第２混合器１３に入力され、第２局部発振器１４から供給される第２局部発振信号と混合されて第２中間周波信号に周波数変換される。第２中間周波信号は第２ＩＦバンドパスフィルタ１５を通過してＡ／Ｄ変換器１６に入力され、ここでデジタル信号に変換される。そして、デジタル信号はＯＦＤＭ復調手段１７によって復調される（例えば、特許文献１参照。）。
【０００５】
【特許文献１】特開２００３−０１８１２３（図１）
【発明の開示】
【発明が解決しようとする課題】
【０００６】
上記の構成ではＵＨＦテレビジョン放送又はＶＨＦテレビジョン放送の何れしか受信できないので、両方のテレビジョン放送を受信するためには上記の受信機を２系統備えなければならず高価となる。
【０００７】
本発明は、ＵＨＦテレビジョン放送とＶＨＦテレビジョン放送とを簡単な構成で受信できるようにすることを目的とする。
【課題を解決するための手段】
【０００８】
そのために、本発明では、ＵＨＦテレビジョン信号を中間周波信号に周波数変換する少なくと２系統のＵＨＦ受信部と、ＶＨＦテレビジョン信号を中間周波信号に周波数変換する少なくとも２系統のＶＨＦ受信部と、複数の中間周波信号を位相合成すると共にＯＦＤＭ復調するダイバーシティ合成手段とを備え、前記少なくとも２系統のＵＨＦ受信部から出力される各中間周波信号又は前記少なくとも２系統のＶＨＦ受信部から出力される各中間周波信号を切り替えて前記ダイバーシティ合成加算手段に入力した。
【０００９】
また、前記各ＵＨＦ受信部にはそれぞれ周波数変換用のＵＨＦミキサを設けると共に、前記各ＶＨＦ受信部にはそれぞれ周波数変換用のＶＨＦミキサを設け、前記各ＵＨＦミキサに共通のＵＨＦ発振器から局部発振信号を供給し、前記各ＶＨＦＦミキサに共通のＶＨＦ発振器から局部発振信号を供給した。
【００１０】
また、前記ＵＨＦ発振器と前記ＶＨＦ発振器とを共通のＰＬＬ回路によって制御した。
【００１１】
また、少なくとも前記各ＵＨＦミキサと前記各ＶＨＦミキサと前記ＵＨＦ発振器と前記ＶＨＦ発振器と前記ＰＬＬ回路とを同一の集積回路内に構成した。
【発明の効果】
【００１２】
請求項１の発明によれば、少なくとも２系統のＵＨＦ受信部から出力される各中間周波信号又は少なくとも２系統のＶＨＦ受信部から出力される各中間周波信号を切り替えてダイバーシティ合成加算手段に入力したので、ＵＨＦ帯及びＶＨＦ帯のデジタルテレビジョン信号が受信できる。
【００１３】
また、請求項２の発明によれば、各ＵＨＦ受信部にはそれぞれ周波数変換用のＵＨＦミキサを設けると共に、各ＶＨＦ受信部にはそれぞれ周波数変換用のＶＨＦミキサを設け、各ＵＨＦミキサに共通のＵＨＦ発振器から局部発振信号を供給し、各ＶＨＦＦミキサに共通のＶＨＦ発振器から局部発振信号を供給したので、各ＵＨＦミキサ及び各ＶＨＦミキサにそれぞれ供給される局部発振信号の周波数が完全に一致し、各ＵＨＦ受信部同士、及び各ＶＨＦ受信部同士でビート妨害が発生しない。
【００１４】
また、請求項３の発明によれば、ＵＨＦ発振器とＶＨＦ発振器とを共通のＰＬＬ回路によって制御したので、構成が簡単となり小型化を図れる。
【００１５】
また、請求項４の発明によれば、少なくとも各ＵＨＦミキサと各ＶＨＦミキサとＵＨＦ発振器とＶＨＦ発振器とＰＬＬ回路とを同一の集積回路内に構成したので、一層構成の簡素化と小型化を図れる。
【発明を実施するための最良の形態】
【００１６】
本発明に関わるダイバーシティ受信機の構成を図１に示す。第１のＵＨＦ受信部２１は、アンテナ２２で受信したＵＨＦ帯のデジタルテレビジョン信号を中間周波信号に周波数変換するための第１のＵＨＦミキサ２１ａを有している。また、第２のＵＨＦ受信部２３は、アンテナ２４で受信したＵＨＦ帯のデジタルテレビジョン信号を中間周波信号に周波数変換するための第２のＵＨＦミキサ２３ａを有している。各ＵＨＦミキサ２１ａ、２３ａには共通のＵＨＦ発振器２５から周波数が完全に一致したＵＨＦ局部発振信号が供給される。
【００１７】
同様に、第１のＶＨＦ受信部２６は、アンテナ２７で受信したＶＨＦ帯のデジタルテレビジョン信号を中間周波信号に周波数変換するための第１のＶＨＦミキサ２６ａを有している。また、第２のＶＨＦ受信部２８は、アンテナ２９で受信したＶＨＦ帯のデジタルテレビジョン信号を中間周波信号に周波数変換するための第２のＶＨＦミキサ２８ａを有している。各ＶＨＦミキサ２６ａ、２８ａには共通のＶＨＦ発振器３０から周波数が完全に一致したＶＨＦ局部発振信号が供給される。
【００１８】
なお、第１及び第２のＶＨＦ受信部２６、２８はＶＨＦ帯のローバンド又はハイバンドのデジタルテレビジョン信号を受信できるようにバンド切替型の同調回路（図示せず）を有し、それにともなって、ＶＨＦ発振器３０もバンド切替型に構成されている。
【００１９】
ＵＨＦ発振器２５とＶＨＦ発振器３０とは共通のＰＬＬ回路３２１によって制御される。ＰＬＬ回路３１は、各ＵＨＦ受信部２１、２３及び各ＶＨＦ受信部２６、２８がそれぞれ受信すべきＵＨＦ帯又はＶＨＦ帯のチャンネルのに同調してその信号を周波数変換できるように各同調回路と発振器とを制御する。
【００２０】
なお、２つのＵＨＦミキサ２１ａ、２３ａと、ＵＨＦ発振器２５と、２つのＶＨＦミキサ２６ａ、２８ａと、ＶＨＦ発振器３０と、ＰＬＬ回路３１とは同一の集積回路内に構成されている。よって、各受信部の構成も簡素化できると共に、全体を小型化できる。
【００２１】
そして、各ＵＨＦ受信部２１、２３によってＵＨＦ帯の同一チャンネルのテレビジョン信号が受信され、各ＶＨＦ受信部２６、２８によってＶＨＦ帯の同一チャンネルのテレビジョン信号が受信される。受信された各テレビジョン信号は中間周波信号に変換されて出力される。
【００２２】
各受信部２１、２３、２６、２８から出力された中間周波信号は４入力２出力型の切替手段３２によって、第１及び第２のＵＨＦ受信部２１、２３からの各中間周波信号又は第１及び第２のＶＨＦ受信部２６、２８からの各中間周波信号が選択される。切替手段３２は半導体スイッチ素子によって構成される。選択された２つの中間周波信号はそれぞれ中間周波回路３３、３４に入力され、各中間周波回路３３、３４において増幅、同調される。中間周波回路３３、３４から出力された各中間周波信号はダイバーシティ合成手段３５に入力される。
【００２３】
ダイバーシティ合成手段３５は少なくとも加算器３５ａ、Ａ／Ｄ変換器、ＯＦＤＭ復調器３５ｃを有する。先ず、加算器３５ａに各中間周波信号が入力されて総合に加算される。この加算時には、２つの中間周波信号が同位相となるように、例えば、各ＵＨＦミキサ２１ａ、２３ａに供給される局部発振信号の位相及び各ＶＨＦミキサ２６ａ、２８ａに供給される局部発振信号の位相がそれぞれ制御されるが詳細説明は省略する。この結果、加算後の中間周波信号は最大レベルになる。
【００２４】
加算後の中間周波信号はＡ／Ｄ変換器３５ｂによってデジタル信号に変換され、その後にＯＦＤＭ復調器３５ｃによって復調される。
【００２５】
なお、ダイバーシティ合成手段３５は図示の構成に限らず、例えば、各中間周波回路３３、３４から出力された中間周波信号をデジタル変換した後に加算してもよく、種々の構成が適用できる。
さらに、図１に構成では、ＵＨＦ受信部及びＶＨＦ受信部をそれぞれ２系統で構成したが、３系統以上としてもよい。その際には、中間周波回路も３系統必要となる。
【図面の簡単な説明】
【００２６】
【図１】本発明のダイバーシティ受信機の構成を示す回路図である。
【図２】従来のダイバーシティ受信機の構成を示す回路図である。
【符号の説明】
【００２７】
２１：第１のＵＨＦ受信部
２１ａ：第１のＵＨＦミキサ
２２、２４、２７、２９：アンテナ
２３：第２のＵＨＦ受信部
２３ａ：第２のＵＨＦミキサ
２５：ＵＨＦ発振器
２６：第１のＶＨＦ受信部
２６ａ：第１のＶＨＦミキサ
２８：第２のＶＨＦ受信部
２８ａ：第２のＶＨＦミキサ
３０：ＶＨＦ発振器
３１：ＰＬＬ回路
３２：切替手段
３３、３４：中間周波回路
３５：ダイバーシティ合成手段
３５ａ：加算器
３５ｂ：Ａ／Ｄ変換器
３５ｃ：ＯＦＤＭ復調器
【図１】
2005244584.tif 000003
【図２】
2005244584.tif 000004